(57)【要約】【課題】所望する番組情報が放送される場合に、その番組情報を再生する。【解決手段】再生装置は、例えば、所望の放送情報に対応する放送信号を特徴付ける解析情報を取得する取得部と、受信中の放送信号をバックグラウンドで解析することにより得られる解析の結果と、前記解析情報とを比較し、前記解析の結果と前記解析情報とが類似することが検出される場合に、前記受信中の放送信号に対応する放送情報を再生する制御部とを備える。【選択図】図３
2013214860.tif 000002
【特許請求の範囲】
【請求項１】
所望の放送情報に対応する放送信号を特徴付ける解析情報を取得する取得部と、
受信中の放送信号をバックグラウンドで解析することにより得られる解析の結果と、前記解析情報とを比較し、前記解析の結果と前記解析情報とが類似することが検出される場合に、前記受信中の放送信号に対応する放送情報を再生する制御部と
を備える再生装置。
【請求項２】
前記制御部は、
前記受信中の放送信号に基づく放送情報以外のオーディオソースを再生し、
前記オーディオデータの再生中に前記受信中の放送信号を解析することにより得られる解析の結果と、前記解析情報とを比較し、
前記解析の結果と前記解析情報とが類似することが検出される場合に、再生対象を、前記オーディオソースから前記受信中の放送信号に対応する放送情報に切り替える請求項１に記載の再生装置。
【請求項３】
前記制御部は、前記放送情報を再生する後に、再生対象を、前記放送情報から前記オーディオソースに切り替える請求項２に記載の再生装置。
【請求項４】
前記制御部は、前記放送情報を所定時間、再生する後に、再生対象を、前記放送情報から前記オーディオソースに切り替える請求項３に記載の再生装置。
【請求項５】
前記制御部は、前記放送情報に設定時間以上の無音区間が含まれる場合に、再生対象を、前記放送情報から前記オーディオソースに切り替える請求項３に記載の再生装置。
【請求項６】
所定の操作に応じて受信中の放送信号が解析されることにより、前記放送信号を特徴付ける解析情報が得られる請求項１に記載の再生装置。
【請求項７】
前記放送情報は、交通情報、ニュース情報および天気情報の少なくとも一つである請求項１に記載の再生装置。
【請求項８】
前記放送情報に含まれるバックグランドミュージックの特徴および前記放送情報に含まれる音声信号の声紋の特徴の少なくとも一方を解析する請求項１に記載の再生装置。
【請求項９】
前記放送信号は、アナログのラジオ放送の放送信号である請求項１に記載の再生装置。
【請求項１０】
所望の放送情報に対応する放送信号を特徴付ける解析情報を取得し、
受信中の放送信号をバックグラウンドで解析することにより得られる解析の結果と、前記解析情報とを比較し、前記解析の結果と前記解析情報とが類似することが検出される場合に、前記受信中の放送信号に対応する放送情報を再生する
再生装置における再生方法。
【請求項１１】
再生装置により受信される放送信号を所定の操作に応じて解析することにより、前記放送信号を特徴付ける解析情報を取得する取得部と、
前記再生装置により受信中の放送信号をバックグラウンドで解析することにより得られる解析の結果と、前記解析情報とを比較する比較部と、
前記比較の結果、前記解析の結果と前記解析情報とが類似することが検出される場合に、前記再生装置において再生される再生対象が、前記受信中の放送信号に対応する放送情報となるように制御する制御部と
を備える端末装置。
【請求項１２】
少なくとも一の端末装置と、前記端末装置と接続される再生装置とを備え、
前記端末装置は、
前記再生装置により受信される放送信号を所定の操作に応じて解析することにより、前記放送信号を特徴付ける解析情報を取得する取得部と、
前記再生装置により受信中の放送信号をバックグラウンドで解析することにより得られる解析の結果と、前記解析情報とを比較する比較部と、
前記比較の結果、前記解析の結果と前記解析情報とが類似することが検出される場合に、前記再生装置において再生される再生対象が、前記受信中の放送信号に対応する放送情報になるように制御する第１の制御部と
を備え、
前記再生装置は、
放送信号を受信する受信部と、
前記第１の制御部による制御に応じて、前記受信部により受信中の放送信号に対応する放送情報を再生する第２の制御部と
を備える再生システム。
【発明の詳細な説明】
【技術分野】
【０００１】
本開示は、再生装置、再生方法、端末装置および再生システムに関する。
【背景技術】
【０００２】
ラジオ放送で放送される交通情報やスポーツ番組などの放送情報を、聞き逃してしまうことを防止する技術が提案されている。例えば、下記特許文献１には、交通情報や野球などのキーワードに適合する放送信号をメモリに記憶し、メモリに記憶した放送信号を後から再生できるようにしたラジオ装置が記載されている。
【先行技術文献】
【特許文献】
【０００３】
【特許文献１】特開平１０−０２８０６８号公報
【発明の概要】
【発明が解決しようとする課題】
【０００４】
ユーザが所望する放送情報を適切に検索するために、キーワードの内容をユーザが詳細に設定しなければならず、手間がかかるという問題があった。さらに、デフォルトで設定されるキーワードが、ユーザの嗜好に必ずしも適合しないという問題があった。
【０００５】
したがって、本開示の目的の一つは、キーワードの設定を必要とせずに、ユーザが所望する放送情報を確実に再生する再生装置、再生方法、端末装置および再生システムを提供することにある。
【課題を解決するための手段】
【０００６】
上述した課題を解決するために、本開示は、例えば、
所望の放送情報に対応する放送信号を特徴付ける解析情報を取得する取得部と、
受信中の放送信号をバックグラウンドで解析することにより得られる解析の結果と、解析情報とを比較し、解析の結果と解析情報とが類似することが検出される場合に、受信中の放送信号に対応する放送情報を再生する制御部と
を備える再生装置である。
【０００７】
本開示は、例えば、
所望の放送情報に対応する放送信号を特徴付ける解析情報を取得し、
受信中の放送信号をバックグラウンドで解析することにより得られる解析の結果と、解析情報とを比較し、解析の結果と解析情報とが類似することが検出される場合に、受信中の放送信号に対応する放送情報を再生する
再生装置における再生方法である。
【０００８】
本開示は、例えば、
再生装置により受信される放送信号を所定の操作に応じて解析することにより、放送信号を特徴付ける解析情報を取得する取得部と、
再生装置により受信中の放送信号をバックグラウンドで解析することにより得られる解析の結果と、解析情報とを比較する比較部と、
比較の結果、解析の結果と解析情報とが類似することが検出される場合に、再生装置において再生される再生対象が、受信中の放送信号に対応する放送情報となるように制御する制御部と
を備える端末装置である。
【０００９】
本開示は、例えば、
少なくとも一の端末装置と、端末装置と接続される再生装置とを備え、
端末装置は、
再生装置により受信される放送信号を所定の操作に応じて解析することにより、放送信号を特徴付ける解析情報を取得する取得部と、
再生装置により受信中の放送信号をバックグラウンドで解析することにより得られる解析の結果と、解析情報とを比較する比較部と、
比較の結果、解析の結果と解析情報とが類似することが検出される場合に、再生装置において再生される再生対象が、受信中の放送信号に対応する放送情報になるように制御する第１の制御部と
を備え、
再生装置は、
放送信号を受信する受信部と、
第１の制御部による制御に応じて、受信部により受信中の放送信号に対応する放送情報を再生する第２の制御部と
を備える再生システムである。
【発明の効果】
【００１０】
少なくとも一つの実施形態によれば、キーワードの設定を必要とせずに、ユーザが所望する放送情報を確実に再生できる。
【図面の簡単な説明】
【００１１】
【図１】第１の実施形態における再生装置の構成の一例を示すブロック図である。
【図２】第１の実施形態における、登録処理の流れの一例を示すフローチャートである。
【図３】第１の実施形態における、ソースを切り替える処理の流れの一例を示すフローチャートである。
【図４】第２の実施形態における、システムの構成の一例を示すブロック図である。
【図５】第２の実施形態の登録処理において、再生装置側で行われる処理の流れの一例を示すフローチャートである。
【図６】第２の実施形態の登録処理において、携帯端末側で行われる処理の流れの一例を示すフローチャートである。
【図７】第２の実施形態のソースを切り替える処理において、再生装置側で行われる処理の流れの一例を示すフローチャートである。
【図８】第２の実施形態のソースを切り替える処理において、携帯端末側で行われる処理の流れの一例を示すフローチャートである。
【図９】ソースを切り替える処理の流れの、他の例を示すフローチャートである。
【図１０】ソースを切り替える処理の流れの、他の例を示すフローチャートである。
【図１１】ソースを切り替える処理の流れの、他の例を示すフローチャートである。
【図１２】ＤＳＰの構成の変形例を説明するための図である。
【発明を実施するための形態】
【００１２】
以下、本開示の実施形態および変形例について図面を参照しながら説明する。なお、説明は、以下の順序で行う。
＜１．第１の実施形態＞
＜２．第２の実施形態＞
＜３．変形例＞
なお、以下に説明する実施形態および変形例は、本開示の好適な具体例であり、本開示の内容がこれらの実施形態および変形例に限定されるものではない。
【００１３】
＜１．第１の実施形態＞
「再生装置の構成」
図１は、第１の実施形態における再生装置の構成の一例を示す。図１に例示する再生装置１００は、例えば、車載される再生装置や、家庭等に設置される据え置き型の再生装置として構成される。
【００１４】
再生装置１００は、制御部１０を備える。制御部１０に対して、ＤＳＰ(Digital Signal Processor)１１と、チューナ１２と、メモリ１３と、表示部１４とが接続される。表示部１４は、例えば、タッチパネル１５として機能し、タッチパネル１５に対してユーザによる操作が可能とされる。ＤＳＰ１１に対して、チューナ１２と、オーディオソース１６と、アンプ１７とが接続される。アンプ１７に対してスピーカ１８が接続される。チューナ１２にアンテナ１９が接続される。以下、再生装置１００の各部について説明する。
【００１５】
制御部１０は、例えば、ＣＰＵ(Central Processing Unit)から構成され、再生装置１００の各部を制御する。制御部１０により行われる処理として、チューナ１２を所定の周波数に同調させ、所定の周波数の放送信号を受信する処理や、タッチパネル１５から供給される操作信号やトリガ信号に応じた処理や、ＤＳＰ１１に対して解析処理の開始を指示する処理や、ＤＳＰ１１から解析情報や解析結果を取得する処理や、メモリ１３に解析情報を書き込む処理や、表示部１４に所定の表示を行う表示制御処理などが例示される。
【００１６】
ＤＳＰ１１は、チューナ１２により生成される中間周波数信号(ＩＦ信号：Intermediate Frequency)やオーディオソース１６から供給されるオーディオ信号に対して、各種の信号処理を実行する。信号処理として、ＦＦＴ(Fast Fourier Transform)処理、デジタルフィルタリング処理、デインタリーブ処理、デコード処理、レベルコントロール処理、これらの信号処理が施されたデジタル信号をアナログ信号へと変換するＤＡＣ(Digital to Analog Converter)処理、計時処理などが例示される。ＤＳＰ１１による処理によりアナログオーディオ信号が形成される。アナログオーディオ信号がアンプ１７に供給される。
【００１７】
ＤＳＰ１１は、例示した信号処理を行う機能のほかに、例えば、解析機能１１ａとソース切替機能１１ｂを有する。解析機能１１ａは、チューナ１２から供給される放送信号の（音響）特性を解析する機能である。周波数特性を解析する処理や、音調やテンポを解析する処理や、ビート、コード進行、楽曲構造、楽器音などを抽出する１２音解析処理、これらの処理を組み合わせた処理などが、放送情報に対して行われることで放送情報の特性が解析される。これらの放送信号の特性を解析する方法として、公知の方法を適用できる。
【００１８】
ソース切替機能１１ｂは、スピーカ１８から再生されるソースを切り替える機能である。ソース切替機能１１ｂが実行されることにより、例えば、放送信号に対応する放送情報と、放送情報以外のオーディオソース（以下、単にオーディオソースと略称することがある）とが切り替えられる。なお、図１では、ソース切替機能１１ｂをスイッチとして図示しているが、ハードウエア的なスイッチを設ける必要はない。例えば、一方のソースのレベルを略０にする信号処理により、ソースを切り替えることができる。
【００１９】
なお、制御部１０とＤＳＰ１１が一体として構成されてもよい。例えば、制御部１０およびＤＳＰ１１の機能を有する１チップのマイクロコンピュータとして構成されてもよい。
【００２０】
チューナ１２は、アンテナ１９から供給されるＲＦ(Radio Frequency)信号を増幅するＲＦ増幅器と、増幅されたＲＦ信号から所望の放送局の周波数信号を選択する同調回路と、局部発振器からの周波数信号をＲＦ信号と混合（ミックス）し、ＩＦ信号を生成する混合器と、ＩＦ信号をアナログ信号からデジタル信号へと適宜、変換するＡＤＣ(Analog to Digital Converter)回路と、を含む構成とされる。チューナ１２の機能の一部を、制御部１０やＤＳＰ１１が有する構成としてもよい。
【００２１】
メモリ１３は、例えば、不揮発性のメモリから構成される。メモリ１３に、ＤＳＰ１１による解析処理で得られる解析情報や、解析対象である放送信号の周波数情報が記憶される。メモリ１３に、制御部１０が実行するプログラムが格納されてもよい。プログラムが格納されるエリアは、書き換えができないエリアとされる。制御部１０がプログラムを実行する際のワークエリアとして、メモリ１３が使用されてもよい。メモリ１３が制御部１０に組み込まれていてもよい。
【００２２】
表示部１４は、ＬＣＤ(Liquid Crystal Display)パネル、有機ＥＬ(Electroluminescence)パネル等によって構成される。表示部１４に、例えば、カーナビゲーションシステムに基づくマップや、ラジオ放送の放送局に関する情報や、オーディオソースに関する情報が表示される。表示部１４に、例えば、登録ボタンが表示される。登録ボタンは、所定の周波数の放送信号が受信され、その放送信号に対応する放送情報がスピーカ１８から再生される場合に表示される。再生対象のソースが放送情報以外のオーディオソース１６である場合には、登録ボタンは表示されない。
【００２３】
表示部１４は、例えば、タッチパネル１５として構成される。表示部１４の所定位置を触れることで、ユーザによる操作（ユーザ操作）がなされる。ユーザ操作に応じて操作信号が生成される。操作信号が制御部１０に供給される。制御部１０は、供給される操作信号に応じた処理を行う。なお、再生装置１００が、タッチパネル１５以外の操作部を有する構成としてもよい。再生装置１００が、例えば、ボタンやスイッチ、ダイヤルなどの操作部を有する構成としてもよい。
【００２４】
オーディオソース１６は、放送情報以外のオーディオソースを総称したものである。オーディオソース１６として、ＣＤ(Compact Disc)や半導体メモリに記憶されるオーディオ信号に対応するオーディオコンテンツ（音楽）や、ネットワークを介して供給されるオーディオ信号に対応するオーディオコンテンツや、携帯端末やタブレット型のコンピュータに保持されるオーディオ信号に対応するオーディオコンテンツが例示される。
【００２５】
例えば、オーディオソースを選択するユーザ操作に応じて、所定のオーディオ信号がオーディオソース１６から読み出される。読み出されるオーディオ信号に対してＤＳＰ１１による所定の信号処理が施される。所定の信号処理が施されたオーディオ信号がアンプ１７により増幅され、増幅されるオーディオ信号がスピーカ１８に供給される。スピーカ１８からオーディオ信号に対応するオーディオコンテンツが再生される。
【００２６】
再生装置１００により受信される放送信号としては、ＡＭ(Amplitude Modulation)放送やＦＭ(Frequency Modulation)放送などのアナログのラジオ放送の放送信号が例示される。アナログのラジオ放送に対して適用することにより、幅広いエリアにおいて再生装置１００を使用でき、再生装置１００の製造コスト等を低減できる。もちろん、アナログ放送以外の放送信号でもよい。再生装置１００により受信される放送信号が、デジタルテレビジョン放送の音声信号でもよい。
【００２７】
アンプ１７は、ＤＳＰ１１から供給される放送信号や、ＤＳＰ１１から供給されるオーディオ信号を所定の増幅率でもって増幅する。アンプ１７がデジタルアンプによって構成されてもよい。アンプ１７により増幅された放送情報等がスピーカ１８に供給される。
【００２８】
スピーカ１８は、アンプ１７から供給される信号を再生する。例えば、放送信号に対応する放送情報がスピーカ１８から再生される。例えば、オーディオ信号に対応するオーディオコンテンツがスピーカ１８から再生される。
【００２９】
再生装置１００が車載される場合は、スピーカ１８は、例えば、ダッシュボードの中央付近に取り付けられるスピーカ（センタ）と、各座席の近傍に取り付けられる４つのスピーカ（フロントライト、フロントレフト、リアライト、リアレフト）から構成される。もちろん、スピーカの配置態様は例示した態様に限られることなく、車両の大きさや形状などに応じて適宜、変更できる。
【００３０】
放送情報は、ユーザに実際に聴取されるものであり、例えば、トーク番組やミュージック番組、コマーシャルなどである。放送情報のなかには、繰り返して放送される放送情報がある。このような放送情報として、交通情報、天気情報およびニュース情報の少なくとも一つが例示される。
【００３１】
「再生装置の動作」
再生装置１００の動作の一例について説明する。再生装置１００により所定の周波数の放送信号が受信される。所定の周波数は、例えば、ユーザが聴取を所望する放送局に割り当てられる周波数である。ユーザは、聴取を希望する放送局を、例えば、タッチパネル１５を使用して選択する。選択操作に応じた操作信号が、制御部１０に対して供給される。制御部１０は、供給される操作信号により示される周波数にチューナ１２を同調させる。チューナ１２が、ユーザが聴取を所望する放送局に割り当てられる周波数の放送信号を受信する。
【００３２】
アンテナ１９およびチューナ１２により受信される放送信号がＤＳＰ１１に供給される。放送信号に対して、ＤＳＰ１１等による信号処理が施され、スピーカ１８から放送信号に対応する放送情報が再生される。
【００３３】
ユーザが放送情報以外のオーディオソースの聴取を所望する場合は、例えば、タッチパネル１５を使用してオーディオソース１６が選択される。選択操作に応じた選択信号が制御部１０に供給される。制御部１０は、選択信号に応じて、ソースをオーディオソース１６に切り替える制御信号を生成し、生成した制御信号をＤＳＰ１１に供給する。ＤＳＰ１１は、供給される制御信号に応じてソース切替機能１１ｂを実行し、再生対象のソースを放送情報からオーディオソース１６に切り替える。以上のようにして、ユーザは、放送情報またはオーディオソース１６を聴取する。
【００３４】
なお、放送情報が聴取される場合に、トリガ信号を発生するためのトリガ操作が可能とされる。トリガ操作として、表示部１４に表示される登録ボタンを触れる操作が例示される。トリガ操作がなされると、トリガ操作に基づく操作信号（トリガ信号）が制御部１０に供給される。トリガ信号が供給されることに応じて、制御部１０は、解析処理を動作させるための制御信号を生成する。制御信号がＤＳＰ１１に供給される。
【００３５】
ＤＳＰ１１は、制御信号に応じて解析機能１１ａを実行し、解析処理を行う。ＤＳＰ１１は、チューナ１２から供給される放送信号の特性を解析する解析処理を行う。解析処理は、例えば、予め設定される時間（例えば、数分）行われる。解析処理を開始してから、所定時間（例えば、数秒）以上の無音区間が検出されるまで解析処理を行うようにしてもよい。解析処理により解析結果が得られる。ＤＳＰ１１は、解析情報と、解析処理の対象の放送信号の周波数とを制御部１０に供給する。制御部１０は、ＤＳＰ１１から供給される解析情報および周波数情報を、メモリ１３に記憶する。
【００３６】
解析処理が行われる後に、ユーザ操作により、再生対象のソースが放送情報からオーディオソース１６に切り替えられる。オーディオソース１６がスピーカ１８から再生される。制御部１０は、メモリ１３から周波数情報および解析情報を読み出す。そして、制御部１０は、周波数情報により示される周波数にチューナ１２を同調させる。周波数情報で示される周波数の放送信号が受信される。さらに、制御部１０は、放送信号に対する解析処理を行うようにＤＳＰ１１を制御する。ＤＳＰ１１は、制御部１０の制御に応じて、放送信号をバックグラウンドで解析する。バックグラウンドで解析するとは、受信中の放送信号に基づく放送情報を再生せずに、その放送信号を解析することを含む意味である。
【００３７】
ＤＳＰ１１のバックグラウンドでの解析処理により解析結果が得られる。ＤＳＰ１１は、解析結果を制御部１０に供給する。制御部１０は、メモリ１３から読み出した解析情報と、ＤＳＰ１１から供給される解析結果とを比較する。比較の結果、両者が所定の範囲で類似することが検出される場合に、制御部１０は、再生対象を切り替える制御信号を生成する。なお、両者が所定の範囲で類似することには、両者が完全に一致することを含む。
【００３８】
制御部１０によって生成される制御信号がＤＳＰ１１に供給される。ＤＳＰ１１は、供給される制御信号に応じて、ソース切替機能１１ｂを実行する。ソース切替機能１１ｂが実行されることにより、再生対象が、オーディオソース１６からバックグラウンドで受信中の放送信号に対応する放送情報に切り替わる。
【００３９】
「所望の放送情報を登録する処理」
次に、所望の放送情報を登録する処理（以下、単に登録処理と称することがある）の流れの一例について説明する。図２は、登録処理の流れの一例を説明するためのフローチャートである。
【００４０】
ステップＳ１では、所定の周波数の放送信号が受信される。例えば、ユーザにより選択される放送局に対応する周波数の放送信号が受信される。アンテナ１９およびチューナ１２により受信される放送信号に対してＤＳＰ１１およびアンプ１７による所定の信号処理が施される。信号処理が施された放送信号に対応する放送情報が、スピーカ１８から再生される。なお、表示部１４に登録ボタンが表示される。そして、処理がステップＳ２に進む。
【００４１】
ステップＳ２では、トリガ操作がなされるか否かが判断される。トリガ操作は、例えば、表示部１４に表示される登録ボタンを触れる操作である。トリガ操作は、ある放送情報が再生され、その放送情報を、ユーザが再度、聴取することを所望する場合になされる。例えば、放送情報の一例である交通情報が、スピーカ１８から再生される。交通情報は、繰り返して放送されるものであり、所定のタイミングにおける次の放送が予定されている。ユーザは、次のタイミングで放送される交通情報の聴取を希望する場合に、トリガ操作を行う。
【００４２】
ステップＳ２において、トリガ操作がなされない場合は、処理がステップＳ２に戻り、トリガ操作がなされるか否かの判断が繰り返される。ステップＳ２において、トリガ操作がなされる場合は、処理がステップＳ３に進む。
【００４３】
ステップＳ３では、トリガ操作に応じてトリガ信号が生成される。生成されるトリガ信号が表示部１４（タッチパネル１５）から制御部１０に供給される。そして、処理がステップＳ４に進む。
【００４４】
ステップＳ４において、制御部１０は、供給されるトリガ信号に応じて、ＤＳＰ１１に対して放送信号の解析を指示するための制御信号を生成する。生成される制御信号が、制御部１０からＤＳＰ１１に対して供給される。そして、処理がステップＳ５に進む。
【００４５】
ステップＳ５において、ＤＳＰ１１は、供給される制御信号に応じて、チューナ１２から供給される放送信号の解析処理を開始する。解析処理は、例えば、予め設定される時間（例えば、数分）行われる。この例では、交通情報が聴取されるときにトリガ操作がなされることから、交通情報が放送される際の放送信号が解析される。交通情報は、例えば、交通情報をアナウンスする話者の声の成分と、ＢＧＭの成分を含む。ＤＳＰ１１による解析処理において、例えば、話者の声紋の特徴およびＢＧＭの特徴が解析される。そして、処理がステップＳ６に進む。
【００４６】
ステップＳ６では、放送信号の解析処理が終了するか否かが判断される。例えば、解析処理が行われる時間が経過したか否かが判断される。放送信号の解析処理が終了しない場合は、処理がステップＳ６に戻り、ステップＳ６の判断が繰り返される。放送信号の解析処理が終了する場合には、処理がステップＳ７に進む。
【００４７】
ステップＳ７において、ＤＳＰ１１は、制御部１０に対して解析処理の結果である解析情報を供給する。解析情報は、交通情報が放送される際の放送信号を特徴付ける情報である。そして、処理がステップＳ８に進む。
【００４８】
ステップＳ８において、制御部１０は、ＤＳＰ１１から供給される解析情報および受信中の放送信号の周波数をメモリ１３に記憶する。そして、登録処理が終了する。
【００４９】
「解析情報を使用する処理」
次に、解析情報を使用する処理の流れの一例について説明する。解析情報を使用して、例えば、再生対象のソースを自動的に切り替えるソース切替処理が行われる。
【００５０】
図３は、ソース切替処理の流れの一例を示すフローチャートである。ステップＳ１１において、所定の周波数の放送信号が受信される。受信される放送信号に対応する放送情報がスピーカ１８から再生される。すなわち、ステップＳ１１では、再生対象のソースがラジオ放送に設定される。なお、ステップＳ１１における所定の周波数は、登録処理のステップＳ１における所定の周波数と同一の周波数でもよく、異なる周波数でもよい。そして、処理がステップＳ１２に進む。
【００５１】
ステップＳ１２では、再生対象のソースを切り替える操作があるか否かの判断が行われる。例えば、再生対象のソースが、ラジオ放送の放送情報からオーディオソース１６に切り替える操作があるか否かの判断が行われる。ソースを切り替える操作は、例えば、タッチパネル１５を使用して行われる。ソースを切り替える操作がない場合は、処理がステップＳ１２に戻り、ステップＳ１２の判断が繰り返される。再生対象のソースを切り替える操作がある場合は、処理がステップＳ１３に進む。
【００５２】
ステップＳ１３において、再生対象のソースを切り替える操作に応じた操作信号が、タッチパネル１５から制御部１０に供給される。制御部１０は、供給される操作信号に応じて、再生対象のソースを切り替えるための制御信号を生成する。生成される制御信号が、制御部１０からＤＳＰ１１に供給される。供給される制御信号に応じて、ＤＳＰ１１は、ソース切替機能１１ｂを実行し、再生対象のソースをラジオ放送からオーディオソース１６に切り替える。この例では、オーディオソース１６をＣＤに記録されるオーディオコンテンツとして説明する。
【００５３】
ＣＤに記録されるオーディオ信号が読み出される。読み出されるオーディオ信号に対してＤＳＰ１１による所定の信号処理が施される。信号処理が施されたオーディオ信号がアンプ１７により増幅される。増幅されるオーディオ信号に対応するオーディオコンテンツが、スピーカ１８から再生される。そして、処理がステップＳ１４に進む。
【００５４】
ステップＳ１４において、制御部１０は、登録処理によってメモリ１３に記憶された周波数情報を読み出す。制御部１０は、チューナ１２の同調周波数を、周波数情報により示される周波数に設定する。周波数情報により示される周波数の放送信号が受信される。受信される放送信号がＤＳＰ１１に供給される。そして、処理がステップＳ１５に進む。
【００５５】
ステップＳ１５において、制御部１０は、ＤＳＰ１１に対して放送信号の解析を開始させる制御信号を生成する。生成される制御信号が、ＤＳＰ１１に供給される。ＤＳＰ１１は、供給される制御信号に応じて放送信号の解析を行う。解析処理は、例えば、所定時間（数分）毎に周期的に行われる。解析処理により、例えば、話者の声紋の特徴およびＢＧＭの特徴が解析される。なお、上述したように、スピーカ１８からは、オーディオコンテンツが再生される。そして、処理がステップＳ１６に進む。
【００５６】
ステップＳ１６において、ＤＳＰ１１は、解析処理により得られる解析結果を制御部１０に供給する。そして、処理がステップＳ１７に進む。
【００５７】
ステップＳ１７において、制御部１０は、ＤＳＰ１１から供給される解析結果と、メモリ１３に記憶される解析情報とを比較する。例えば、声紋を比較する処理およびＢＧＭの周波数特性を比較する処理が行われる。そして、処理がステップＳ１８に進む。
【００５８】
ステップＳ１８では、解析結果と解析情報とが、類似するか否かが制御部１０により判断される。例えば、それぞれの声紋が所定の類似度をもって類似し、かつ、それぞれのＢＧＭの周波数特性が所定の類似度をもって類似する場合には、解析結果と解析情報とが、類似すると判断される。解析結果に声紋やＢＧＭが含まれない場合には、類似度が略０となり、解析結果と解析情報とが、類似しないと判断される。なお、所定の類似度は、解析処理がなされる時間等に応じて、適切に設定される。
【００５９】
ステップＳ１８において、解析結果と解析情報とが類似しないと判断される場合は、処理がステップＳ１５に戻る。そして、再度、放送信号に対する解析処理や、解析処理による解析結果と解析情報とを比較する処理などが行われる。なお、ステップＳ１５〜ステップＳ１８の処理が行われる間に、再生対象のソースとして放送情報が選択される場合は、放送信号に対する解析処理や、解析結果と解析情報とを比較する処理などが中止されるようにしてもよい。
【００６０】
ステップＳ１８において、解析結果と解析情報とが類似すると判断される場合は、処理がステップＳ１９に進む。解析結果と解析情報とが類似すると判断される場合には、ユーザが聴取を希望する放送情報として登録された放送情報が、放送されることを意味する。具体的な例としては、ユーザが聴取を希望する交通情報が放送されることを意味する。したがって、制御部１０は、ＤＳＰ１１に対して、再生対象のソースをＣＤに記録されるオーディオコンテンツから、受信中の放送信号に対応する放送情報に切り替えるための制御信号を生成する。生成される制御信号が、制御部１０からＤＳＰ１１に対して供給される。そして、処理がステップＳ２０に進む。
【００６１】
供給される制御信号に応じて、ＤＳＰ１１は、ソース切替機能１１ｂを実行し、ＤＳＰ１１への入力信号を切り替える。ソース切替機能１１ｂが実行されることにより、再生対象のソースが、ＣＤに記録されるオーディオコンテンツから、放送信号に基づく放送情報（ラジオ放送）に切り替わる。ユーザが聴取を希望する交通情報が、スピーカ１８から再生される。
【００６２】
このように、オーディオソース１６のオーディオコンテンツを再生中に、ユーザが聴取を希望する放送情報が放送される場合でも、再生対象のソースを自動的に切り替えることができる。このため、次に交通情報が放送されるタイミングにおいて、ユーザがソースを切り替える操作を行う必要がない。例えば、再生装置１００が車載される場合には、ユーザがソースを切り替える操作を行う必要がないため、運転の安全性を向上させることができる。
【００６３】
さらに、聴取を希望する放送情報を簡単な操作により登録できる。例えば、キーワードやユーザの嗜好情報などを、事前に設定する必要がない。
【００６４】
さらに、放送信号を解析するため、例えば、放送信号にメタデータが付加されないシステムに対しても本開示を適用できる。
【００６５】
＜２．第２の実施形態＞
次に、第２の実施形態について説明する。第２の実施形態は、第１の実施形態における再生装置１００の機能の一部を、外部の装置が有するようにしたものである。外部の装置として、スマートフォンなどの携帯端末や、タブレット型のコンピュータや、パーソナルコンピュータなどが例示される。以下の説明では、外部の装置を携帯端末として説明する。
【００６６】
「システムの構成」
図４は、第２の実施形態におけるシステムの構成の一例を示す。システムは、例えば、再生装置２００と、携帯端末３００とを含む構成とされる。なお、再生装置２００において再生装置１００と同一の構成については同一の符号を付し、重複した説明を省略する。
【００６７】
再生装置２００と携帯端末３００とが、例えば、ＵＳＢ(Universal Serial Bus)接続され、双方の装置の間で制御コマンドのやり取りが可能とされる。例えば、携帯端末３００にて実行される操作や処理に応じて、再生装置２００にて再生されるソースを制御できる。
【００６８】
さらに、再生装置２００の出力端子（ラインアウト）と、携帯端末３００の入力端子（ラインイン）とが接続される。なお、図４では、再生装置２００の出力端子および携帯端末３００の入力端子の図示を省略している。例えば、再生装置２００により受信される放送信号を携帯端末３００に供給することができる。再生装置２００と携帯端末３００との間の接続方式は、有線でもよく無線でもよい。無線の場合は、例えば、Bluetooth（登録商標）規格による方式や、Wi-Fi（登録商標）に基づく方式の通信を利用できる。
【００６９】
「再生装置の構成」
再生装置２００の構成の一例について説明する。再生装置２００は、第１の実施形態における再生装置１００の構成と略同様の構成とされる。制御部２０は、解析結果と解析情報を比較する処理を行わない点の他は、制御部１０と略同一の機能を実行する。なお、解析情報は、メモリ１３に記憶されずに携帯端末３００に記憶される。ＤＳＰ２１は、解析処理を行わない点の他は、ＤＳＰ１１と略同一の機能を有する。なお、ＤＳＰ２１が有するソース切替機能を、適宜、ソース切替機能２１ａと称する。
【００７０】
「携帯端末の構成」
携帯端末３００の構成の一例について説明する。携帯端末３００は、例えば、制御部３０と、操作部３１と、メモリ３２とを含む構成とされる。制御部３０は、例えば、ＣＰＵから構成され、携帯端末３００の各部を制御する。さらに、制御部３０は、再生装置２００から供給される放送信号を解析する機能を有する。制御部３０の放送信号を解析する機能を、解析機能３０ａと適宜、称する。
【００７１】
操作部３１に対して、ユーザによる操作を行うことが可能とされる。例えば、ユーザが聴取を希望する放送情報を登録するためのトリガ操作が可能とされる。なお、操作部３１をタッチパネルとして構成してもよい。
【００７２】
メモリ３２は、例えば、不揮発性のメモリからなる。メモリ３２に、制御部３０の解析処理により得られる解析情報が記憶される。メモリ３２に他の情報が記憶されるようにしてもよい。なお、メモリ３２が制御部３０に組み込まれていてもよい。
【００７３】
携帯端末３００の構成は一例であり、上述した構成に限定されることはない。例えば、メモリ３２にオーディオ信号が記憶され、記憶されるオーディオ信号を再生するための構成が、携帯端末３００に追加されてもよい。インターネットなどのネットワークに接続するための構成が、携帯端末３００に追加されてもよい。通話機能を行うための構成が、携帯端末３００に追加されてもよい。携帯端末３００に対して、公知の構成を適宜、付加できる。
【００７４】
「所望の放送情報を登録する処理」
次に、第２の実施形態における登録処理の流れの一例について説明する。図５は、登録処理における、再生装置２００側の処理の流れの一例を説明するためのフローチャートである。
【００７５】
ステップＳ２５において、再生装置２００により所定の周波数の放送信号が受信される。例えば、ユーザにより選択される放送局の放送信号が受信される。ユーザによる放送局の選択は、例えば、携帯端末３００の操作部３１を使用してなされる。操作部３１の操作に基づく操作信号が制御部３０に供給される。制御部３０は、操作信号に基づく制御コマンドを再生装置２００の制御部２０に供給する。制御部２０は、制御コマンドで指示される周波数にチューナ１２を同調させる制御を行う。なお、制御部３０は、ユーザにより選択される放送局の放送信号の周波数を、メモリ３２に周波数情報として記憶する。
【００７６】
受信される放送信号に対して、ＤＳＰ２１による所定の信号処理が施される。信号処理が施された放送信号がアンプ１７によって増幅される。増幅された放送信号に放送情報がスピーカ１８から再生される。そして、処理がステップＳ２６に進む。
【００７７】
ステップＳ２６では、ＤＳＰ２１による信号処理が施された放送信号が再生装置２００の出力端子に供給される。放送信号が、出力端子を介して、携帯端末３００の入力端子に供給される。放送信号が、携帯端末３００の制御部３０に供給される。なお、ＤＳＰ２１による信号処理が携帯端末３００側で行われてもよい。
【００７８】
図６は、登録処理における、携帯端末３００側の処理の流れの一例を説明するためのフローチャートである。ステップＳ３１において、再生装置２００から放送信号が供給される。そして、処理がステップＳ３２に進む。
【００７９】
ステップＳ３２では、トリガ操作がなされるか否かが判断される。トリガ操作は、例えば、操作部３１に対する操作である。トリガ操作は、ある放送情報が再生され、その放送情報を、ユーザが再度、聴取することを希望する場合になされる。例えば、放送情報の一例として、交通情報が再生される。交通情報は、繰り返して放送されるものであり、所定のタイミングにおける次の放送が予定されている。ユーザは、次のタイミングで放送される交通情報の聴取を希望する場合に、トリガ操作を行う。
【００８０】
ステップＳ３２において、トリガ操作がなされない場合は、処理がステップＳ３２に戻り、トリガ操作がなされるか否かの判断が繰り返される。ステップＳ３２において、トリガ操作がなされる場合は、処理がステップＳ３３に進む。
【００８１】
ステップＳ３３では、トリガ操作に応じてトリガ信号が生成される。生成されるトリガ信号が操作部３１から制御部３０に供給される。そして、処理がステップＳ３４に進む。
【００８２】
ステップＳ３４において、制御部３０は、供給されるトリガ信号に応じて、再生装置２００から供給される放送信号の解析処理を開始する。解析処理は、例えば、予め設定される時間（例えば、数分）行われる。この例では、交通情報が聴取されるときにトリガ操作がなされることから、交通情報が放送される際の放送信号の解析処理がなされる。交通情報は、例えば、交通情報をアナウンスする話者の声の成分と、ＢＧＭの成分を含む。制御部３０による解析処理において、例えば、話者の声紋の特徴およびＢＧＭの特徴が解析される。そして、処理がステップＳ３５に進む。
【００８３】
ステップＳ３５では、放送信号の解析処理が終了するか否かが判断される。例えば、解析処理が行われる時間が経過したか否かが判断される。放送信号の解析処理が終了しない場合は、処理がステップＳ３５に戻り、ステップＳ３５の判断が繰り返される。放送信号の解析処理が終了する場合には、処理がステップＳ３６に進む。
【００８４】
ステップＳ３６において、制御部３０は、解析処理により得られる解析情報をメモリ３２に記憶する。解析情報は、交通情報が放送される際の放送信号を特徴付ける情報である。メモリ３２には、解析情報および周波数情報が記憶される。そして、登録処理が終了する。
【００８５】
「解析情報を使用する処理」
次に、解析情報を使用して、再生対象のソースを自動的に切り替えるソース切替処理について説明する。
【００８６】
図７は、ソース切替処理における、再生装置２００側の処理の流れの一例を示すフローチャートである。ステップＳ４１において、再生装置２００により所定の周波数の放送信号が受信される。受信される放送信号に対応する放送情報がスピーカ１８から再生される。すなわち、ステップＳ４１では、再生対象のソースとしてラジオ放送が設定される。なお、ステップＳ４１における所定の周波数は、登録処理のステップＳ２５における所定の周波数と同一の周波数でもよく、異なる周波数でもよい。そして、処理がステップＳ４２に進む。
【００８７】
ステップＳ４２では、再生対象のソースを切り替える操作に基づいて生成されるソース切替コマンドおよび周波数情報が、携帯端末３００から供給されるか否かが判断される。再生対象のソースを切り替える操作は、例えば、再生対象のソースを、ラジオ放送の放送情報からオーディオソース１６に切り替える操作である。再生対象のソースを切り替える操作は、携帯端末３００の操作部３１を使用してなされる。
【００８８】
ソース切替コマンドおよび周波数情報が、携帯端末３００から供給されない場合は、処理がステップＳ４２に戻り、ステップＳ４２の判断が繰り返される。ソース切替コマンドおよび周波数情報が、携帯端末３００から供給される場合は、処理がステップＳ４３に進む。
【００８９】
ステップＳ４３において、ソース切替コマンドおよび周波数情報が、制御部２０に供給される。制御部２０は、供給されるソース切替コマンドに応じて、再生対象を放送情報からオーディオソース１６に切り替えるための制御信号を生成する。生成される制御信号が制御部２０からＤＳＰ２１に供給される。供給される制御信号に応じて、ＤＳＰ２１は、ソース切替機能２１ａを実行し、再生対象のソースを放送情報からオーディオソース１６に切り替える。この例では、オーディオソース１６をＣＤに記録されるオーディオコンテンツとして説明する。
【００９０】
ＣＤに記録されるオーディオ信号が読み出される。読み出されるオーディオ信号に対してＤＳＰ２１による所定の信号処理が施される。信号処理が施されたオーディオ信号がアンプ１７により増幅される。オーディオ信号に対応するオーディオコンテンツが、スピーカ１８から再生される。そして、処理がステップＳ４４に進む。
【００９１】
ステップＳ４４において、制御部２０は、チューナ１２の同調周波数を、携帯端末３００から供給される周波数情報により示される周波数に設定する。この処理により、メモリ３２に記憶された周波数の放送信号が受信される。受信される放送信号がＤＳＰ２１に供給される。受信される放送信号に対して、ＤＳＰ２１による所定の信号処理が施される。なお、放送信号に対して施される信号処理が携帯端末３００によって行われてもよい。そして、処理がステップＳ４５に進む。
【００９２】
ステップＳ４５では、ＤＳＰ２１により所定の信号処理が施された放送信号が携帯端末３００に供給される。詳細は後述するが、この放送信号に対して携帯端末３００による解析処理が行われる。そして、処理がステップＳ４６に進む。
【００９３】
ステップＳ４６では、携帯端末３００により実行される比較処理に基づくソース切替コマンドが供給されるか否かが判断される。比較処理に基づくソース切替コマンドが供給されない場合は、処理がステップＳ４６に戻り、ステップＳ４６の判断が繰り返される。比較処理に基づくソース切替コマンドが供給される場合は、処理がステップＳ４７に進む。
【００９４】
ステップＳ４７では、制御部２０は、再生対象のソースを、オーディオコンテンツから、受信中の放送信号に対応する放送情報に切り替えるための制御信号を生成する。制御信号がＤＳＰ２１に対して供給され、ＤＳＰ２１に対する入力信号の切替が指示される。そして、処理がステップＳ４８に進む。
【００９５】
供給される制御信号に応じて、ＤＳＰ２１は、ソース切替機能２１ａを実行する。再生対象のソースが、オーディオコンテンツから受信中の放送信号に対応する放送情報に切り替わる。すなわち、ユーザが聴取を希望する交通情報がスピーカ１８から再生される。
【００９６】
図８は、ソース切替処理における、携帯端末３００側の処理の流れの一例を示すフローチャートである。ステップＳ５１では、再生対象のソースを切り替える操作があるか否かの判断が行われる。例えば、再生対象のソースを、放送情報からオーディオコンテンツに切り替える操作があるか否かの判断が行われる。ソースを切り替える操作は、例えば、操作部３１を使用して行われる。ソースを切り替える操作がない場合は、処理がステップＳ５１に戻り、ステップＳ５１の判断が繰り返される。再生対象のソースを切り替える操作がある場合は、処理がステップＳ５２に進む。
【００９７】
ステップＳ５２において、再生対象のソースを切り替える操作に応じた操作信号が、操作部３１から制御部３０に供給される。制御部３０は、供給される操作信号に応じて、再生対象のソースを切り替えるためのソース切替コマンドを生成する。さらに、制御部３０は、メモリ３２に記憶される周波数情報を読み出す。制御部３０は、ソース切替コマンドおよび周波数情報を、再生装置２００に対して供給する。ソース切替コマンドに応じて、再生装置２００では、ＣＤに記録されるオーディオコンテンツが再生される。そして、処理がステップＳ５３に進む。
【００９８】
ステップＳ５３では、再生装置２００により受信される放送信号が携帯端末３００の制御部３０に供給される。制御部３０は、解析機能３０ａを実行し、供給される放送信号に対する解析処理を開始する。解析処理は、例えば、所定時間（数分）毎に周期的に行われる。解析処理により、例えば、話者の声紋の特徴およびＢＧＭの特徴が解析される。そして、処理がステップＳ５５に進む。
【００９９】
ステップＳ５５において、制御部３０は、解析処理により得られる解析結果と、メモリ３２に記憶される解析情報とを比較する。例えば、声紋を比較する処理およびＢＧＭの周波数特性を比較する処理が行われる。そして、処理がステップＳ５６に進む。
【０１００】
ステップＳ５６では、解析結果と解析情報とが、類似するか否かが制御部３０により判断される。なお、解析結果と解析情報とが類似することには、解析結果と解析情報とが完全に一致することも含まれる。例えば、それぞれの声紋が所定の類似度をもって類似し、かつ、それぞれのＢＧＭの周波数特性が所定の類似度をもって類似する場合には、解析結果と解析情報とが、類似すると判断される。解析結果に声紋やＢＧＭが含まれない場合には、類似度が略０となり、解析結果と解析情報とが、類似しないと判断される。なお、所定の類似度は、解析処理がなされる時間等に応じて、適切に設定される。
【０１０１】
ステップＳ５６において、解析結果と解析情報とが類似しないと判断される場合は、処理がステップＳ５４に戻る。そして、再度、放送信号に対する解析処理や、解析結果と解析情報とを比較する処理などが行われる。なお、ステップＳ５４〜ステップＳ５６の処理が行われる間に、再生対象のソースとしてラジオ放送が選択される場合は、放送信号に対する解析処理や、解析結果と解析情報とを比較する処理などが中止されるようにしてもよい。
【０１０２】
ステップＳ５６において、解析結果と解析情報とが類似すると判断される場合は、処理がステップＳ５７に進む。解析結果と解析情報とが類似すると判断される場合には、ユーザが所望する放送情報として登録された放送情報が、放送されることを意味する。具体的な例としては、ユーザが聴取を希望する交通情報が放送されることを意味する。したがって、制御部３０は、再生対象のソースを、オーディオコンテンツから受信中の放送信号に対応する放送情報に切り替えるためのソース切替コマンドを生成する。ソース切替コマンドが、再生装置２００の制御部２０に供給される。
【０１０３】
再生装置２００において、ソース切替コマンドに応じて、上述したステップＳ４７およびステップＳ４８の処理が行われ、受信中の放送信号に対応する放送情報がスピーカ１８から再生される。すなわち、ユーザが聴取を希望する交通情報がスピーカ１８から再生される。
【０１０４】
このように、再生装置の機能の一部を外部の装置が有する構成とすることにより、再生装置の構成を簡略化でき、再生装置の製造コスト等を低減できる。外部の装置を携帯端末とすることにより、再生装置のタッチパネルの配設箇所に拘束されることなく、トリガ操作を行うことができる。
【０１０５】
なお、再生装置に対して、複数の端末を接続可能としてもよい。そして、端末毎にトリガ操作が行われるようにしてもよい。
【０１０６】
＜３．変形例＞
以上、本開示の複数の実施形態について説明したが、本開示は、上述した実施形態に限られることなく、種々の変形が可能である。以下、変形例について説明する。
【０１０７】
上述したソース切替処理において、再生対象のソースを、受信中の放送信号に対応する放送情報から、オーディオソース１６に戻す処理が行われてもよい。図９は、変形例におけるソース切替処理の流れの一例を示すフローチャートである。図９において、ステップＳ１１からステップＳ２０までの処理は、図３で説明した処理と同一の処理である。ステップＳ２０において、再生対象のソースが、ＣＤに記録されるオーディオコンテンツから放送情報に切り替えられる。そして、処理がステップＳ６１に進む。
【０１０８】
ステップＳ６１は、放送信号における所定時間（例えば、１秒程度）以上の無音区間が検出されるか否かが判断される。無音区間の検出は、例えば、ＤＳＰ１１により行われる。無音区間が検出されない場合は、処理がステップＳ６１に戻り、ステップＳ６１の処理が繰り返される。無音区間が検出される場合は、処理がステップＳ６２に進む。
【０１０９】
ステップＳ６２では、再生対象のソースを放送情報からＣＤのオーディオコンテンツに切り替える。ラジオ放送では、放送情報が切り替わる際に、無音区間が生じる。この無音区間を検出することで、ユーザが聴取を希望する交通情報が終了し、放送情報が、交通情報から別の放送情報に切り替わることを判別できる。交通情報が終了することから、再生対象のソースをオーディオコンテンツに戻す処理を行う。ユーザは、再び、オーディオコンテンツを聴取できる。
【０１１０】
なお、ステップＳ２０におけるＣＤの再生位置を保持するようにしてもよい。ステップＳ６２において、ＣＤに記録されるオーディオ信号をその再生位置から再生するようにしてもよい。
【０１１１】
図１０は、変形例におけるソース切替処理の流れの他の例を示すフローチャートである。図１０において、ステップＳ１１からステップＳ２０までの処理は、図３で説明した処理と同一の処理である。ステップＳ２０において、再生対象のソースが、ＣＤに記録されるオーディオコンテンツから、受信中の放送信号に対応する放送情報に切り替えられる。そして、処理がステップＳ６５に進む。
【０１１２】
ステップＳ６５において、放送情報の再生時間が所定時間以上であるか否かが制御部１０により判断される。所定時間は、適宜、設定できる。例えば、所定時間が３分に設定される。放送情報の再生時間が３分以上でない場合は、処理がステップＳ６５に戻り、ステップＳ６５の判断が繰り返される。放送情報の再生時間が３分以上である場合は、処理がステップＳ６６に進む。
【０１１３】
ステップＳ６６において、再生対象のソースがラジオ放送の放送情報からＣＤに記録されるオーディオコンテンツに切り替えられる。すなわち、制御部１０は、ＤＳＰ１１に対して再生対象のソースを切り替えるための制御信号を供給する。ＤＳＰ１１は、供給される制御信号に応じてソース切替機能１１ｂを実行し、再生対象のソースを放送情報からオーディオコンテンツに切り替える。通常、交通情報やニュース、天気情報は、数分程度で終了するため、この時間以上、放送情報を再生する必要がない。すなわち、放送情報を必要以上に再生することなく、再生対象のソースを適切に切り替えることができる。
【０１１４】
図９および図１０の処理を組み合わせてもよい。例えば、無音区間が検出される場合に、再生対象のソースをＣＤに記録されるオーディオコンテンツに戻す。さらに、無音区間が検出されない場合において、所定時間以上、放送情報が再生される場合に、再生対象のソースをオーディオ信号に戻すようにしてもよい。
【０１１５】
トリガ操作が複数回なされ、メモリ１３に複数の解析情報が記憶されるようにしてもよい。図１１のステップＳ６７に示すように、メモリ１３に他の解析情報があるか否かの判断が行われるようにしてもよい。メモリ１３に他の解析情報がある場合には、処理がステップＳ１５に戻り、放送信号の解析することで得られる解析結果と、他の解析情報が比較される処理等が行われるようにしてもよい。この処理により、例えば、あるタイミングで交通情報が放送される際に、再生対象のソースを切り替えることができるとともに、他のタイミングでニュースが放送される際に、再生対象のソースを切り替えることができる。
【０１１６】
再生対象のソースをオーディオコンテンツから交通情報に切り替える際に、ソース切替処理に要する時間により、交通情報の音声が一部、欠落し、頭切れが生じる可能性がある。そこで、図１２に例示すように、ＤＳＰ１１に一定の容量のバッファメモリ１１ｃを設け、所定時間分の放送信号を蓄積してもよい。バッファメモリ１１ｃは、放送信号の供給経路に設けられる。バッファメモリ１１ｃに蓄積される放送信号をアンプ１７に供給することで、交通情報の音声が頭切れすることを防止できる。
【０１１７】
上述した実施形態や変形例は、さらに以下のように変形できる。
【０１１８】
話者の声紋の特徴およびＢＧＭの特徴の少なくとも一方が解析されるようにしてもよい。さらに、話者の声紋の特徴およびＢＧＭの特徴の一方が類似する場合に、解析結果と解析情報とが類似すると判断してもよい。これにより、例えば、次の交通情報が放送される際に、交通情報をアナウンスする話者および交通情報のＢＧＭの一方が変更される場合でも、交通情報が放送されることを正確に判別できる。
【０１１９】
トリガ操作に応じて行われる解析処理において、放送信号に時間を示す情報が含まれる場合には、その時間に、再生対象のソースをオーディオコンテンツから放送情報に切り替えるようにしてもよい。例えば、トリガ操作に応じて行われる解析処理において「次の交通情報は、２時ごろです。」という音声が認識される場合に、２時または２時付近に、再生対象のソースをオーディオコンテンツから放送情報に切り替えるようにしてもよい。時間を示す情報が認識されない場合に、話者の声紋の特徴およびＢＧＭの特徴の少なくとも一方が解析されるようにしてもよい。
【０１２０】
トリガ操作は、音声を使用した操作でもよい。例えば、再生装置１００にマイクロホンなどの収音部を設ける。収音部に対して特定の用語を入力することにとり、トリガ操作が行われるようにしてもよい。例えば、収音部に向けて「ここをまた聞きたい」という音声を発することで、トリガ操作を行うことができるようにしてもよい。さらに、トリガ操作として、ジェスチャによる操作がなされてもよい。
【０１２１】
外部の装置がメモリのみでもよい。そして、解析情報が外部の装置から再生装置に対して供給されるようにしてもよい。すなわち、解析情報を取得することには、解析処理を行うことで解析情報を取得することに限定されず、メモリに記憶される解析情報を読み出して取得することや、外部の装置から供給される解析情報を取得することを含む。
【０１２２】
トリガ操作に基づく登録処理が行われる後に、必ずしもオーディオソース１６が再生されなくてもよい。例えば、オーディオソース１６が再生されていない状態において、交通情報が放送されることが判別される場合に、ラジオ放送が自動的にオンされ、交通情報がスピーカ１８から再生されるようにしてもよい。
【０１２３】
クロスフェード処理により、再生対象のソースを切り替えるようにしてもよい。再生対象のソースが切り替わることにより、ユーザに違和感を与えることを防止できる。なお、この場合は、小音量の期間に交通情報が聞き取れなくなることを防止するために、図１２に示すようなバッファメモリを設け、交通情報が放送されるタイミングより所定時間前のタイミングからの放送情報を再生することが望ましい。
【０１２４】
本開示は、装置のほか、方法、プログラム、プログラムが記録された記録媒体などにより実現することができる。さらに、本開示は、例示した処理が複数の装置によって分散して処理される、いわゆるクラウドシステムに対して適用することができる。例えば、例示した処理を全て実行するシステムであって、一部の処理を実行する装置として本開示が実現されてもよい。
【０１２５】
なお、実施形態および変形例における構成および処理は、技術的矛盾が生じない範囲で適宜、削除または変更することができる。処理の順序は、技術的矛盾が生じない範囲で適宜、変更できる。処理をパラレルに行うようにしてもよい。さらに、実施形態および変形例における構成および処理は、技術的矛盾が生じない範囲で適宜、組み合わせることができる。
【０１２６】
本開示は、以下の構成をとることもできる。
（１）
所望の放送情報に対応する放送信号を特徴付ける解析情報を取得する取得部と、
受信中の放送信号をバックグラウンドで解析することにより得られる解析の結果と、前記解析情報とを比較し、前記解析の結果と前記解析情報とが類似することが検出される場合に、前記受信中の放送信号に対応する放送情報を再生する制御部と
を備える再生装置。
（２）
前記制御部は、
前記受信中の放送信号に基づく放送情報以外のオーディオソースを再生し、
前記オーディオ信号の再生中に前記受信中の放送信号を解析することにより得られる解析の結果と、前記解析情報とを比較し、
前記解析の結果と前記解析情報とが類似することが検出される場合に、再生対象を、前記オーディオソースから前記受信中の放送信号に対応する放送情報に切り替える（１）に記載の再生装置。
（３）
前記制御部は、前記放送情報を再生する後に、再生対象を、前記放送情報から前記オーディオソースに切り替える（２）に記載の再生装置。
（４）
前記制御部は、前記放送情報を所定時間、再生する後に、再生対象を、前記放送情報から前記オーディオソースに切り替える（３）に記載の再生装置。
（５）
前記制御部は、前記放送情報に設定時間以上の無音区間が含まれる場合に、再生対象を、前記放送情報から前記オーディオソースに切り替える（３）に記載の再生装置。
（６）
所定の操作に応じて受信中の放送信号が解析されることにより、前記放送信号を特徴付ける解析情報が得られる（１）乃至（５）のいずれかに記載の再生装置。
（７）
前記放送情報は、交通情報、ニュース情報および天気情報の少なくとも一つである（１）乃至（６）のいずれかに記載の再生装置。
（８）
前記放送情報に含まれるバックグランドミュージックの特徴および前記放送情報に含まれる音声信号の声紋の特徴の少なくとも一方を解析する（１）乃至（７）のいずれかに記載の再生装置。
（９）
前記放送信号は、アナログのラジオ放送の放送信号である（１）乃至（８）のいずれかに記載の再生装置。
（１０）
所望の放送情報に対応する放送信号を特徴付ける解析情報を取得し、
受信中の放送信号をバックグラウンドで解析することにより得られる解析の結果と、前記解析情報とを比較し、前記解析の結果と前記解析情報とが類似することが検出される場合に、前記受信中の放送信号に対応する放送情報を再生する
再生装置における再生方法。
（１１）
再生装置により受信される放送信号を所定の操作に応じて解析することにより、前記放送信号を特徴付ける解析情報を取得する取得部と、
前記再生装置により受信中の放送信号をバックグラウンドで解析することにより得られる解析の結果と、前記解析情報とを比較する比較部と、
前記比較の結果、前記解析の結果と前記解析情報とが類似することが検出される場合に、前記再生装置において再生される再生対象が、前記受信中の放送信号に対応する放送情報となるように制御する制御部と
を備える端末装置。
（１２）
少なくとも一の端末装置と、前記端末装置と接続される再生装置とを備え、
前記端末装置は、
前記再生装置により受信される放送信号を所定の操作に応じて解析することにより、前記放送信号を特徴付ける解析情報を取得する取得部と、
前記再生装置により受信中の放送信号をバックグラウンドで解析することにより得られる解析の結果と、前記解析情報とを比較する比較部と、
前記比較の結果、前記解析の結果と前記解析情報とが類似することが検出される場合に、前記再生装置において再生される再生対象が、前記受信中の放送信号に対応する放送情報になるように制御する第１の制御部と
を備え、
前記再生装置は、
放送信号を受信する受信部と、
前記第１の制御部による制御に応じて、前記受信部により受信中の放送信号に対応する放送情報を再生する第２の制御部と
を備える再生システム。
【符号の説明】
【０１２７】
１０・・・制御部
１１・・・ＤＳＰ
１２・・・チューナ
１３・・・メモリ
１５・・・タッチパネル
１６・・・オーディオソース
２０・・・制御部
２１・・・ＤＳＰ
３０・・・制御部
３１・・・操作部
３２・・・メモリ
１００、２００・・・再生装置
３００・・・携帯端末
【図１】
2013214860.tif 000003
【図２】
2013214860.tif 000004
【図３】
2013214860.tif 000005
【図４】
2013214860.tif 000006
【図５】
2013214860.tif 000007
【図６】
2013214860.tif 000008
【図７】
2013214860.tif 000009
【図８】
2013214860.tif 000010
【図９】
2013214860.tif 000011
【図１０】
2013214860.tif 000012
【図１１】
2013214860.tif 000013
【図１２】
2013214860.tif 000014